(57)【要約】      （修正有）【課題】片端または両端に紐を通す穴を有した構造の布を提供する。【解決手段】平面状の布（毛織物や毛布を含む）の使用途の限界を片端または両端に紐が通る穴を施し、この布を円筒状にして、紐を絞ることで、平面状の布（毛織物や毛布を含む）ではできなかった使用途を拡大させようとするもの。【選択図】図３
0003224003.tif 000002
【実用新案登録請求の範囲】
【請求項１】
片端または両端に紐を通す穴を有した構造の平面状の布（毛織物や毛布を含む）。
【請求項２】
片端または両端に紐を通す穴を有した構造の平面状の布（毛織物や毛布を含む）を円筒状にするためにこの布の両端にマジックテープやファスナーが取り付けられた構造を有した布。
【請求項３】
片端または両端に紐を通す穴を有した構造の平面状の布（毛織物や毛布を含む）を円筒状に縫合した布。
【請求項４】
円筒状に織りあげた布（毛織物や毛布を含む）で片端または両端に紐を通す穴を有した構造のもの。
【請求項５】
片端または両端に設けられた穴に通す紐の材質は布やゴム、樹脂など多様な材質のものである。
【請求項６】
布（毛織物や毛布を含む）の材質は多様な材質のものである。
【考案の詳細な説明】
【技術分野】
【０００１】    本考案は片端または両端に紐を通す穴を有した構造の平面状及び円筒状の布（毛織物や毛布を含む）である。
【背景技術】
【０００２】    従来のタオル、手ぬぐい、バスタオル、毛織物等は平面状のままで使用がする故にその使用途が限定される欠点があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】    本考案は従来のタオル、手ぬぐい、バスタオル、毛織物等は平面状のままで使用するため、使用途が限定されるという欠点を解決し、使用途を拡大させようとするものである。
【課題を解決するための手段】
【０００６】    タオル、手ぬぐい、バスタオル、毛織物等は平面状のままでの使用途には限界があり、この欠点を解決する手段として、本考案は平面の布（毛織物や毛布を含む）の片端または両端に紐を通す穴をつけた構造にして、円筒状にして、この穴に通した紐を絞ることで様々な用途に使用できるようにするもので、平面状態での使用途が限定されるという欠点を解決するものである。
【考案の効果】
【０００７】    本考案の布（毛織物や毛布を含む）を円筒状にして、片端の紐を絞って袋状にして、その中に布や綿、スポンジなどを詰めれば「充て物」として使えるようになり、両端の紐を絞れば枕や座布団として使用することができるようになる。また、円筒状にして片端の紐を絞り、布（毛織物や毛布を含む）を他端から内側または外側にドーナッツ状に巻き込めば、バスケット状の形にすることができ、多様な用途に使用することができるようになる。例えばドーナッツ状にバスケット状にしたものではその中に座布団を敷けばペット用のベットとして使用できるし、乳幼児用の座布団またはベットとしても使用することができるようになる。優れた点は本考案の布（毛織物や毛布を含む）が汚れた場合、従来の布と同様に広げて洗濯することができ、常に清潔に保たれ、快適さを維持して使用することができるようになる。こうした使用途は従来の平面状のタオル、手ぬぐい、バスタオル、毛織物等ではできなかった欠点で、片端または両端に紐を通す穴を有した構造にして、円筒状にして使用することで、この欠点を解決するもので、新たな使用途を拡大させるものである。
また、片端または両端に紐を通す穴を有する円筒状の形にした布（毛織物や毛布を含む）を染色したり、プリントしたり、模様を織り込んだり、図柄を施したりして、片端の紐を絞り、他端を巻き込んだりすることで、ダイコンやカボチャ、トマトやスイカ、フクロウなど、立体的な造形を創作することができるので、子どものオモチャとしても使用できるし、商品パッケージのデザインとすることもできるし、インテリアデザインとしても使用することができるようになる。また、円筒状にした布（毛織物や毛布を含む）の片端の紐を絞れば帽子としても使用できるようになる。
【図面の簡単な説明】
【０００８】
【図１】  図１ａ、図１ｂ、図１ｃは片端に紐を通す穴を有した本考案の構造図である。図２ａ、図２ｂ、図２ｃは両端に紐を通す穴を有した本考案の構造図である。図１ｂと図２ｂは円筒形にする際に布がズレないように固定する目的でマジックテープを取り付けた図である。図１ｃと図２ｃは円筒にするためのファスナーを取り付けた図である。
【図２】  図３ａ、図３ｂ、図４ａ、図４ｂは片端または両端に紐を通す穴を有し、円筒形にする際に重ね合わせの部分に隙間ができないように重ね合わせの「重ねしろ」を備えた構造図である。図３ｂと図４ｂは重ね合わせの「重ねしろ」がズレないようにマジックテープを取り付けた図である。
【図３】  図５ａと図５ｂは片端または両端に紐を通す穴を有した本考案を円筒形に実施した図である。図６ａと図６ｂは本考案を円筒形にした際にズレないようにマジックテープを取り付けた実施図である。図７ａと図７ｂは円筒形にする際に隙間ができないように重ね合わせの「重ねしろ」を備えた本考案を実施した図である。図８ａと図８ｂは円筒形にする際に重ね合わせの部分に隙間ができないように重ね合わせの「重ねしろ」がズレないようにマジックテープを取り付けて実施した図である。
【図４】  図９ａは、片端に紐を通す穴を有した本考案のものをファスナーを閉じて円筒形にした実施図である。図９ｂは両端に紐を通す穴を有した本考案のものをファスナーを閉じて円筒形にした実施図である。図１０ａは片端に紐を通す穴を有した本考案のものを縫合により円筒形にした実施図である。図１０ｂは両端に紐を通す穴を有した本考案のものを縫合により円筒形にした実施図である。図１１ａは片端に紐を通す穴を有した本考案のものを円筒形に織り上げた実施図である。図１１ｂは両端に紐を通す穴を有した本考案のものを円筒形に織り上げた実施図である。
【図５】  １２ａは図４の１０ｂのように縫い合わせて円筒状にした本考案の布で、片端の紐を絞り、他端からドーナッツ状に巻き込んだ図である。１２ｂは実施例である。
【図６】  １３ａ及び１３ｂは片端または両端に紐を通す穴を有した本考案の布でトマトやダイコンの造形を創作した図である。１４ａは本考案の布に染色やプリント、織り込みが施された実施例である。１４ｂは本考案の１４ａの布で、片端の紐を絞り、他端からドーナッツ状に巻き込んだりして様々な造形に創作した実施例である。
【図７】  １５ａは座布団で、１５ｂは図５の１２ａの実施例で示したドーナッツ状に布を巻き込んだバスケットである。この１５ｂに１５ａの座布団を敷いたものが、１５ｃで、これがペットベットである。１５ｃにトイプードルが入って寝ている実施例が１５ｄである。
【考案を実施するための形態】
【０００９】    本考案の添付図面１から図７に基づいて、図を具体的に説明する。
本考案の図１の１ａ及び１ｂ及び１ｃは、平面状の布（毛織物や毛布を含む）に片端だけに紐を通す穴を施した図である。１ｂは円筒状に布を重ねる際に重なる部分を固定するためにマジックテープを施した図である。１ｃは円筒状に布を固定するためにファスナーを施した図である。２ａ及び２ｂ及び２ｃは平面状の布（毛織物や毛布を含む）に両端に紐を通す穴を施した図である。２ｂは円筒状に布を重ねる際に重なる部分を固定するためにマジックテープを施した図である。２ｃは円筒状に布を固定するためにファスナーを施した図である。
【００１０】    本考案の添付図面２の３ａは平面状の布（毛織物や毛布を含む）に片端だけに紐を通す穴を施し、円筒状に布を重ね合わせる際に隙間ができないように重ねしろを施した図である。３ｂは平面状の布（毛織物や毛布を含む）に片端だけに紐を通す穴を施し、円筒状に布を重ね合わせる際に重ねしろを固定するためにマジックテープを施した図である。４ａは平面状の布（毛織物や毛布を含む）の両端に紐を通す穴を施し、円筒状に布を重ね合わせる際に隙間ができないように重ねしろを施した図である。４ｂは平面状の布（毛織物や毛布を含む）の両端に紐を通す穴を施し、円筒状に布を重ね合わせる際に重ねしろを固定するためにマジックテープを施した図である。
【００１１】    本考案の添付図面３の５ａは平面状の布（毛織物や毛布を含む）に片端だけに紐を通す穴を施し、円筒状に布を重ね合わせた図である。５ｂは平面状の布（毛織物や毛布を含む）の両端に紐を通す穴を施し、円筒状に布を重ね合わせた図である。６ａは平面状の布（毛織物や毛布を含む）に片端だけに紐を通す穴を施し、円筒状に布を重ねる際に重なる部分を固定するためにマジックテープを施した図である。６ｂは平面状の布（毛織物や毛布を含む）の両端に紐を通す穴を施し、円筒状に布を重ねる際に重なる部分を固定するためにマジックテープを施した図である。７ａは平面状の布（毛織物や毛布を含む）に片端だけに紐を通す穴を施し、円筒状に布を重ね合わせる際に隙間ができないように重ねしろを施した図である。７ｂは平面状の布（毛織物や毛布を含む）の両端に紐を通す穴を施し、円筒状に布を重ね合わせる際に隙間ができないように重ねしろを施した図である。８ａは平面状の布（毛織物や毛布を含む）に片端だけに紐を通す穴を施し、円筒状に布を重ね合わせる際に隙間ができないように重ねしろを施し、重ねる際に重ねしろを固定するためにマジックテープを施した図である。８ｂは平面状の布（毛織物や毛布を含む）の両端に紐を通す穴を施し、円筒状に布を重ね合わせる際に隙間ができないように重ねしろを施し、重ねる際に重ねしろを固定するためにマジックテープを施した図である。
【００１２】    本考案の添付図面４の９ａは平面状の布（毛織物や毛布を含む）に片端だけに紐を通す穴を施し、ファスナーを閉じて円筒状にした図である。９ｂは平面状の布（毛織物や毛布を含む）の両端に紐を通す穴を施し、ファスナーを閉じて円筒状にした図である。１０ａは平面状の布（毛織物や毛布を含む）に片端だけに紐を通す穴を施し、円筒状に縫合した図である。１０ｂは平面状の布（毛織物や毛布を含む）の両端に紐を通す穴を施し、円筒状に縫合した図である。１１ａは布（毛織物や毛布を含む）の片端だけに紐を通す穴を施し、円筒状に織り上げた布の図である。１１ｂは布（毛織物や毛布を含む）の両端に紐を通す穴を施し、円筒状に織り上げた布の図である。
【実施例】
【００１３】    本考案の添付図面５は、本考案の実施例で、１２ａのように円筒状にした布（毛織物や毛布を含む）の片端の紐を絞り、他端から布を内側または外側にドーナッツ状に巻き込んだ図である。１２ｂは具体的な実施例である。【００１４】    本考案の添付図面６は具体的な実施例で、色を施した円筒状の布（毛織物や毛布を含む）で立体的な造形の創作事例である。１３ａはトマト、１３ｂはダイコンを模した造形を創作した図である。１４ａは染色やプリント、色の織り込みなどを施した本考案の実施例である。１４ｂは１４ａの染色やプリント、色の織り込みなどを施した本考案の布で、造形の創作例である。【００１５】    本考案の添付図面７の１５ａは座布団で、１５ｂは本考案の布（毛織物や毛布を含む）を図面５の１２ａのドーナッツ状に布を巻き込んだもので、図面の１２ｂと同じ実施例である。この１５ｂに１５ａの座布団を敷いた物が１５ｃで、ペットベットである。１５ｄは実際にトイプードルが使用している実施例である。
【産業上の利用可能性】
【００１６】    本考案の片端または両端に紐を通した円筒状の布（毛織物や毛布を含む）は円筒状にして紐を絞り、他端から布を巻き込むことで、バスケット状の形状にすることができるので、ペットのベットや乳幼児のお座りやベットとして使用できるもので、活用性があり、使用途を拡大することができ、本考案の優れた点は、円筒状の素材である布（毛織物や毛布を含む）は汚れた場合に広げて洗濯できる点にあり、常に清潔な状態で使用できることにある。育児用品やペット用品としての利活用ができるものである。
【図１】
0003224003.tif 000003
【図２】
0003224003.tif 000004
【図３】
0003224003.tif 000005
【図４】
0003224003.tif 000006
【図５】
0003224003.tif 000007
【図６】
0003224003.tif 000008
【図７】
0003224003.tif 000009
【手続補正書】
【提出日】令和1年8月30日(2019.8.30)
【手続補正１】
【補正対象書類名】実用新案登録請求の範囲
【補正対象項目名】全文
【補正方法】変更
【補正の内容】
【実用新案登録請求の範囲】
【請求項１】
片端または両端に紐を通す穴を有した構造の平面状の布。
【請求項２】
片端または両端に紐を通す穴を有した構造の平面状の布を円筒状にするためにこの布の両端に面ファスナーやファスナーが取り付けられた構造を有した布。
【請求項３】
片端または両端に紐を通す穴を有した構造の平面状の布を円筒状に縫合した布。
【請求項４】
片端または両端に紐を通す穴を有した構造の円筒状に織りあげた布。
【手続補正２】
【補正対象書類名】明細書
【補正対象項目名】全文
【補正方法】変更
【補正の内容】
【考案の詳細な説明】
【技術分野】
【０００１】    本考案は片端または両端に紐を通す穴を有した構造の平面状及び円筒状の布（毛織物や毛布を含む）である。
【背景技術】
【０００２】    従来のタオル、手ぬぐい、バスタオル、毛織物等は平面状のままで使用がする故にその使用途が限定される欠点があった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】    本考案は従来のタオル、手ぬぐい、バスタオル、毛織物等は平面状のままで使用するため、使用途が限定されるという欠点を解決し、使用途を拡大させようとするものである。
【課題を解決するための手段】
【０００６】    タオル、手ぬぐい、バスタオル、毛織物等は平面状のままでの使用途には限界があり、この欠点を解決する手段として、本考案は平面の布（毛織物や毛布を含む）の片端または両端に紐を通す穴をつけた構造にして、円筒状にして、この穴に通した紐を絞ることで様々な用途に使用できるようにするもので、平面状態での使用途が限定されるという欠点を解決するものである。
【考案の効果】
【０００７】    本考案の布（毛織物や毛布を含む）を円筒状にして、片端の紐を絞って袋状にして、その中に布や綿、スポンジなどを詰めれば「充て物」として使えるようになり、両端の紐を絞れば枕や座布団として使用することができるようになる。また、円筒状にして片端の紐を絞り、布（毛織物や毛布を含む）を他端から内側または外側にドーナッツ状に巻き込めば、バスケット状の形にすることができ、多様な用途に使用することができるようになる。例えばドーナッツ状にバスケット状にしたものではその中に座布団を敷けばペット用のベットとして使用できるし、乳幼児用の座布団またはベットとしても使用することができるようになる。優れた点は本考案の布（毛織物や毛布を含む）が汚れた場合、従来の布と同様に広げて洗濯することができ、常に清潔に保たれ、快適さを維持して使用することができるようになる。こうした使用途は従来の平面状のタオル、手ぬぐい、バスタオル、毛織物等ではできなかった欠点で、片端または両端に紐を通す穴を有した構造にして、円筒状にして使用することで、この欠点を解決するもので、新たな使用途を拡大させるものである。
また、片端または両端に紐を通す穴を有する円筒状の形にした布（毛織物や毛布を含む）を染色したり、プリントしたり、模様を織り込んだり、図柄を施したりして、片端の紐を絞り、他端を巻き込んだりすることで、ダイコンやカボチャ、トマトやスイカ、フクロウなど、立体的な造形を創作することができるので、子どものオモチャとしても使用できるし、商品パッケージのデザインとすることもできるし、インテリアデザインとしても使用することができるようになる。また、円筒状にした布（毛織物や毛布を含む）の片端の紐を絞れば帽子としても使用できるようになる。
【図面の簡単な説明】
【０００８】
【図１】  図１ａ、図１ｂ、図１ｃは片端に紐を通す穴を有した本考案の構造図である。図２ａ、図２ｂ、図２ｃは両端に紐を通す穴を有した本考案の構造図である。図１ｂと図２ｂは円筒形にする際に布がズレないように固定する目的で面ファスナーを取り付けた図である。図１ｃと図２ｃは円筒にするためのファスナーを取り付けた図である。
【図２】  図３ａ、図３ｂ、図４ａ、図４ｂは片端または両端に紐を通す穴を有し、円筒形にする際に重ね合わせの部分に隙間ができないように重ね合わせの「重ねしろ」を備えた構造図である。図３ｂと図４ｂは重ね合わせの「重ねしろ」がズレないように面ファスナーを取り付けた図である。
【図３】  図５ａと図５ｂは片端または両端に紐を通す穴を有した本考案を円筒形に実施した図である。図６ａと図６ｂは本考案を円筒形にした際にズレないように面ファスナーを取り付けた実施図である。図７ａと図７ｂは円筒形にする際に隙間ができないように重ね合わせの「重ねしろ」を備えた本考案を実施した図である。図８ａと図８ｂは円筒形にする際に重ね合わせの部分に隙間ができないように重ね合わせの「重ねしろ」がズレないように面ファスナーを取り付けて実施した図である。
【図４】  図９ａは、片端に紐を通す穴を有した本考案のものをファスナーを閉じて円筒形にした実施図である。図９ｂは両端に紐を通す穴を有した本考案のものをファスナーを閉じて円筒形にした実施図である。図１０ａは片端に紐を通す穴を有した本考案のものを縫合により円筒形にした実施図である。図１０ｂは両端に紐を通す穴を有した本考案のものを縫合により円筒形にした実施図である。図１１ａは片端に紐を通す穴を有した本考案のものを円筒形に織り上げた実施図である。図１１ｂは両端に紐を通す穴を有した本考案のものを円筒形に織り上げた実施図である。
【図５】  １２ａは図４の１０ｂのように縫い合わせて円筒状にした本考案の布で、片端の紐を絞り、他端からドーナッツ状に巻き込んだ図である。１２ｂは実施例である。
【図６】  １３ａ及び１３ｂは片端または両端に紐を通す穴を有した本考案の布でトマトやダイコンの造形を創作した図である。１４ａは本考案の布に染色やプリント、織り込みが施された実施例である。１４ｂは本考案の１４ａの布で、片端の紐を絞り、他端からドーナッツ状に巻き込んだりして様々な造形に創作した実施例である。
【図７】  １５ａは座布団で、１５ｂは図５の１２ａの実施例で示したドーナッツ状に布を巻き込んだバスケットである。この１５ｂに１５ａの座布団を敷いたものが、１５ｃで、これがペットベットである。１５ｃにトイプードルが入って寝ている実施例が１５ｄである。
【考案を実施するための形態】
【０００９】    本考案の添付図面１から図７に基づいて、図を具体的に説明する。
本考案の図１の１ａ及び１ｂ及び１ｃは、平面状の布（毛織物や毛布を含む）に片端だけに紐を通す穴を施した図である。１ｂは円筒状に布を重ねる際に重なる部分を固定するために面ファスナーを施した図である。１ｃは円筒状に布を固定するためにファスナーを施した図である。２ａ及び２ｂ及び２ｃは平面状の布（毛織物や毛布を含む）に両端に紐を通す穴を施した図である。２ｂは円筒状に布を重ねる際に重なる部分を固定するために面ファスナーを施した図である。２ｃは円筒状に布を固定するためにファスナーを施した図である。
【００１０】    本考案の添付図面２の３ａは平面状の布（毛織物や毛布を含む）に片端だけに紐を通す穴を施し、円筒状に布を重ね合わせる際に隙間ができないように重ねしろを施した図である。３ｂは平面状の布（毛織物や毛布を含む）に片端だけに紐を通す穴を施し、円筒状に布を重ね合わせる際に重ねしろを固定するために面ファスナーを施した図である。４ａは平面状の布（毛織物や毛布を含む）の両端に紐を通す穴を施し、円筒状に布を重ね合わせる際に隙間ができないように重ねしろを施した図である。４ｂは平面状の布（毛織物や毛布を含む）の両端に紐を通す穴を施し、円筒状に布を重ね合わせる際に重ねしろを固定するために面ファフナーを施した図である。
【００１１】    本考案の添付図面３の５ａは平面状の布（毛織物や毛布を含む）に片端だけに紐を通す穴を施し、円筒状に布を重ね合わせた図である。５ｂは平面状の布（毛織物や毛布を含む）の両端に紐を通す穴を施し、円筒状に布を重ね合わせた図である。６ａは平面状の布（毛織物や毛布を含む）に片端だけに紐を通す穴を施し、円筒状に布を重ねる際に重なる部分を固定するために面ファスナーを施した図である。６ｂは平面状の布（毛織物や毛布を含む）の両端に紐を通す穴を施し、円筒状に布を重ねる際に重なる部分を固定するために面ファスナーを施した図である。７ａは平面状の布（毛織物や毛布を含む）に片端だけに紐を通す穴を施し、円筒状に布を重ね合わせる際に隙間ができないように重ねしろを施した図である。７ｂは平面状の布（毛織物や毛布を含む）の両端に紐を通す穴を施し、円筒状に布を重ね合わせる際に隙間ができないように重ねしろを施した図である。８ａは平面状の布（毛織物や毛布を含む）に片端だけに紐を通す穴を施し、円筒状に布を重ね合わせる際に隙間ができないように重ねしろを施し、重ねる際に重ねしろを固定するために面ファスナーを施した図である。８ｂは平面状の布（毛織物や毛布を含む）の両端に紐を通す穴を施し、円筒状に布を重ね合わせる際に隙間ができないように重ねしろを施し、重ねる際に重ねしろを固定するために面ファスナーを施した図である。
【００１２】    本考案の添付図面４の９ａは平面状の布（毛織物や毛布を含む）に片端だけに紐を通す穴を施し、ファスナーを閉じて円筒状にした図である。９ｂは平面状の布（毛織物や毛布を含む）の両端に紐を通す穴を施し、ファスナーを閉じて円筒状にした図である。１０ａは平面状の布（毛織物や毛布を含む）に片端だけに紐を通す穴を施し、円筒状に縫合した図である。１０ｂは平面状の布（毛織物や毛布を含む）の両端に紐を通す穴を施し、円筒状に縫合した図である。１１ａは布（毛織物や毛布を含む）の片端だけに紐を通す穴を施し、円筒状に織り上げた布の図である。１１ｂは布（毛織物や毛布を含む）の両端に紐を通す穴を施し、円筒状に織り上げた布の図である。
【実施例】
【００１３】    本考案の添付図面５は、本考案の実施例で、１２ａのように円筒状にした布（毛織物や毛布を含む）の片端の紐を絞り、他端から布を内側または外側にドーナッツ状に巻き込んだ図である。１２ｂは具体的な実施例である。【００１４】    本考案の添付図面６は具体的な実施例で、色を施した円筒状の布（毛織物や毛布を含む）で立体的な造形の創作事例である。１３ａはトマト、１３ｂはダイコンを模した造形を創作した図である。１４ａは染色やプリント、色の織り込みなどを施した本考案の実施例である。１４ｂは１４ａの染色やプリント、色の織り込みなどを施した本考案の布で、造形の創作例である。【００１５】    本考案の添付図面７の１５ａは座布団で、１５ｂは本考案の布（毛織物や毛布を含む）を図面５の１２ａのドーナッツ状に布を巻き込んだもので、図面の１２ｂと同じ実施例である。この１５ｂに１５ａの座布団を敷いた物が１５ｃで、ペットベットである。１５ｄは実際にトイプードルが使用している実施例である。
【産業上の利用可能性】
【００１６】    本考案の片端または両端に紐を通した円筒状の布（毛織物や毛布を含む）は円筒状にして紐を絞り、他端から布を巻き込むことで、バスケット状の形状にすることができるので、ペットのベットや乳幼児のお座りやベットとして使用できるもので、活用性があり、使用途を拡大することができ、本考案の優れた点は、円筒状の素材である布（毛織物や毛布を含む）は汚れた場合に広げて洗濯できる点にあり、常に清潔な状態で使用できることにある。育児用品やペット用品としての利活用ができるものである。
【手続補正３】
【補正対象書類名】図面
【補正対象項目名】図１
【補正方法】変更
【補正の内容】
【図１】
0003224003.tif 000010
【手続補正４】
【補正対象書類名】図面
【補正対象項目名】図２
【補正方法】変更
【補正の内容】
【図２】
0003224003.tif 000011
【手続補正５】
【補正対象書類名】図面
【補正対象項目名】図３
【補正方法】変更
【補正の内容】
【図３】
0003224003.tif 000012